(57)【要約】  本発明は、伝熱液体を含む暖房回路（１）を有する自動車暖房システムに関し、このヒーター（９）は、流体入口（１１）と、第一の流体出口（１２）および第二の流体出口（１３）と、熱交換液体を電気的に加熱し、かつこの熱を前記第一の出口（１２）に向かう熱交換液体と前記第二の出口（１３）に向かう熱交換液体との間で制御される態様で分配するための手段（１６）（１７）を有し、前記第一の流体出口（１２）と第二の流体出口（１３）は、前記暖房回路（１）の第一のラジエーター（３）と、第二のラジエーター（４）にそれぞれ接続され、前記二つのラジエーター（３）（４）を異なる温度に加熱することを特徴とする。
2016513041.tif 000002
【特許請求の範囲】
【請求項１】
熱交換液体を含む自動車暖房回路（１）用の電気ヒーター（９）であって、
流体入口（１１）と、
第一の流体出口（１２）および第二の流体出口（１３）と、
熱交換液体を電気的に加熱し、かつこの熱を前記第一の出口（１２）に導かれる熱交換液体と前記第二の出口（１３）に導かれる熱交換液体との間で制御された態様で分配するための手段（１６）（１７）とを備え、
前記第一の出口（１２）と前記第二の出口（１３）は、前記暖房回路（１）の第一のラジエーター（３）と第二のラジエーター（４）とにそれぞれ接続され、前記二つのラジエーター（３）（４）を異なる温度に加熱することを特徴とする電気ヒーター。
【請求項２】
分離され、かつ、それぞれが前記流体入口（１１）を介して導かれた熱交換流体の一部を取り込むように配置された第一の加熱部材（１６）および第二の加熱部材（１７）と、
前記各加熱部材（１６）（１７）に電気的出力を制御された態様で分配することによって、前記電気的出力を前記加熱部材（１６）（１７）に供給するための電源カード（１９）とを備え、
前記第一の加熱部材（１６）と第二の加熱部材（１７）は、前記電気ヒーター（９）の前記第一の出口（１２）と第二の出口（１３）にそれぞれ接続された出口を有することを特徴とする請求項１に記載の電気ヒーター。
【請求項３】
前記自動車の乗員空間の二つの分離された領域に対して熱を拡散するための、第一のラジエーター（３）と第二のラジエーター（４）とを有する、熱交換液体を含む暖房回路（１）と、
請求項１または２に記載の電気ヒーター（９）とを備え、
前記電気ヒーター（９）の第一の流体出口（１２）と第二の流体出口（１３）とは、前記第一のラジエーター（３）と第二のラジエーター（４）とにそれぞれ接続され、前記第一のラジエーター（３）と第二のラジエーター（４）との出口は、前記電気ヒーター（９）の入口（１１）に結合するように接続されることを特徴とする自動車暖房システム。
【請求項４】
前記第一のラジエーター（３）と前記第二のラジエーター（４）とは、一体化されたラジエーターを形成することを特徴とする請求項３に記載の自動車暖房システム。
【請求項５】
前記第一のラジエーター（３）と前記第二のラジエーター（４）とは、壁（３３）によって互いに分離されていることを特徴とする請求項３または４に記載の自動車暖房システム。
【請求項６】
前記二つのラジエーター（３）（４）は、同一の熱拡散部材（２、３１、３２）に一体化されていることを特徴とする請求項３〜５のいずれか一項に記載の自動車暖房システム。
【請求項７】
前記熱拡散部材（２、３２）は、前記第一のラジエーター（３）と前記第二のラジエーター（４）との出口に接続された少なくとも一つの出口（８）を有することを特徴とする請求項６に記載の自動車暖房システム。
【請求項８】
前記熱拡散部材（３１）は、前記第一のラジエーター（３）と前記第二のラジエーター（４）との出口にそれぞれ接続された二つの出口（２８）（２８’）を有することを特徴とする請求項７に記載の自動車暖房システム。
【請求項９】
前記第一のラジエーター（３）と前記第二のラジエーター（４）とは、互いに分離された熱拡散部材（１０２）（１０４）に一体化されていることを特徴とする請求項３に記載の自動車暖房システム。
【発明の詳細な説明】
【技術分野】
【０００１】
本発明は、熱交換液体等の熱交換流体を含む自動車暖房回路等を備える電気ヒーターに関する。
【背景技術】
【０００２】
このような電気ヒーターは、電気車両またはハイブリッド車両の乗員空間を加熱するが、それは、この車両の暖房回路の熱交換液体をジュール効果を利用して加熱することによってなされる。この回路は、電気ヒーターがもたらす熱を乗員空間内において放散させるためラジエーターを備えている。
【０００３】
この暖房回路のラジエーターは、乗員空間の左側部分と右側部分とをそれぞれ加熱する左側部分と右側部分とを有し、事実上、ラジエーターは左側部分と右側部分とを分離する壁の一方の側と他方の側とに延在していることが知られている。
【発明の概要】
【発明が解決しようとする課題】
【０００４】
補完的な態様において、混合フラップが設けられるが、これは、外気とラジエーターの左側部分によって加熱された空気との割合を調整することによって、乗員空間の左側部分で噴射された空気に対して、乗員空間の左側部分の温度を調整するためである。同様にして、他の混合フラップは乗員空間の右側部分の温度を調整することができる。
【０００５】
本発明の目的は、少なくとも二つの領域、例えば、乗員空間の左側部分と右側部分を異なる温度に暖房するための他の解決策を提供することである。
【課題を解決するための手段】
【０００６】
この目的を達成するため、本発明は、熱交換液体を含む自動車暖房回路用の電気ヒーターに関し、該電気ヒーターは、流体入口と、第一の流体出口および第二の流体出口と、熱交換液体を電気的に加熱し、かつこの熱を、前記第一の出口に導かれる熱交換液体と前記第二の出口に導かれる熱交換液体との間で、制御された態様で分配するための手段を有し、前記第一と前記第二の流体出口は、それぞれ前記暖房回路の第一と、第二のラジエーターとに接続され、例えば分離された前記二つのラジエーターを異なる温度に加熱する。
【０００７】
この解決策によれば、それはまさに、各乗員空間に寄与するラジエーターによって乗員空間の異なる部分に拡散される熱を分配する電気ヒーターであり、もはや、乗員空間の二つの部分の温度を別々に調整するために混合フラップを備える必要はない。
【０００８】
また、本発明は、上記にて明示したヒーターに関連するものであり、該ヒーターは、分離され、かつ、それぞれが前記流体入口を介して導かれた熱交換液体の一部を取り込むように配置された第一の加熱部材および第二の加熱部材と、各加熱部材に導かれた出力を制御された態様で分配することによって電気的出力を前記加熱部材に供給する電源カードとを有し、前記第一と第二の加熱部材は、前記電気ヒーターの前記第一と第二の出口にそれぞれ接続された出口を有する。
【０００９】
また、本発明は、自動車暖房システムに関し、該自動車暖房システムは、熱交換液体を含む暖房回路と、上記のような電気ヒーターとを有し、この暖房回路は、前記自動車の乗員空間の二つの分離された領域に熱を拡散するため、第一と第二のラジエーターを備えており、前記電気ヒーターの前記第一と第二の流体出口は、前記第一と第二のラジエーターにそれぞれ接続され、前記第一と第二のラジエーターの出口は、前記電気ヒーターの前記入口に結合するように接続される。
【００１０】
また、本発明は、二つの前記ラジエーターが一体の熱拡散部材に統合された、上記にて明示したシステムにも関する。
【００１１】
一つの考えられる特徴によれば、暖房システムの第一と、第二のラジエーターとは、一体のラジエーターを形成する。
【００１２】
他の考えられる特徴によれば、暖房システムの前記第一と第二のラジエーターとは、壁によって互いに分離される。
【００１３】
第一と第二のラジエーターを分離する壁は、例えば、非熱伝導（または、断熱的）であって、第一と第二のラジエーター間の熱伝導を制限することができる（あるいは、第一と第二のラジエーターを少なくとも部分的に互いに熱的に絶縁することさえできる）。
【００１４】
他の考えられる特徴によれば、熱拡散部材は、一方では、前記第一と第二のラジエーターの出口に接続され、他方では、前記電気ヒーターの入口に接続された少なくとも一つの出口を有する。
【００１５】
他の考えられる特徴によれば、自動車暖房システムの前記熱拡散部材は、前記第一と第二のラジエーターの出口にそれぞれ接続された二つの出口を有する。
【００１６】
他の考えられる特徴によれば、前記第一と第二のラジエーターは、互いに分離された熱拡散部材に一体化されてなる。
【００１７】
このように、自動車の乗員空間において熱の拡散に寄与する熱拡散部材は、熱の拡散が望まれる領域の近くに取り付けてもよい。
【００１８】
純粋に非制限の例による、本発明の特定の実施態様における下記の説明から、また、添付図を参照することによって、本発明はより良く理解されるであろうし、また、その特徴および利点がより明瞭に理解されるであろう。
【図面の簡単な説明】
【００１９】
【図１】図１は、本発明によるヒーターを含む暖房システムの部分概略図である。
【図２】図２は、図１のヒーターの分解斜視図である。
【図３】図３ａ〜３ｃは、本発明による暖房システムの構造的変形例の概略図である。
【発明を実施するための形態】
【００２０】
本発明が基づく概念は、熱交換流体、特に熱交換液体の加熱と熱の分配を確実に行う、一体状になった全く同一の部材を暖房回路に備えるものである。熱交換液体は、暖房回路の二つの別々のラジエーターに導入され、それぞれの設定温度に応じて車両の二つの領域の温度、例えば、乗員空間の左側部分の温度と右側部分の温度とを調整する。
【００２１】
図１に示された暖房システムは、暖房回路１と主要部材２とを備え、この主要部材２は、本例では、二つの分離ラジエーター３と４を含んでいる。ラジエーター３、４は、熱を車両の乗員空間の二つのそれぞれの領域、例えば、この暖房システムを備えた乗員空間の右側部分と左側部分とに向けて拡散させることに寄与する。
【００２２】
これらのラジエーター３と４は、本例において、車両の前部に取り付けられ、かつ乗員空間における熱の拡散に寄与する主要部材２の一部であり、よって単に一つのラジエーターの外観を有している。各ラジエーター３、４はそれ自身の入口を備えており、この入口はそれぞれ６と７で示されており、これらの二つのラジエーターの出口は、例えば、８で示された全く同一の出口に組み合わされている。
【００２３】
不図示の構造的変形例において、第一のラジエーター３と第二のラジエーター４とは一体（あるいは一体構造）のラジエーターを形成してもよい。
【００２４】
この組立体には電気ヒーター９を介して熱交換液体が供給される。電気ヒーター９は、流体入口１１（例えば、一つ）と、二つの別々の出口１２と１３を備えており、これら出口１２と１３は、暖房システムの管を介して入口６と出口７とにそれぞれ接続されている。第一と第二の別々のラジエーター３と４は、さらに、壁３３、例えば、非熱伝導性の壁によって互いに分離されてもよい（この構造的変形例は図３ａにより詳しく図示されている）。
【００２５】
ラジエーター３と４の出口を組み合わせた、主要部材２の出口８はそれ自体が電気ヒーター９の入口１１に接続されている。不図示の、暖房回路１の他の部品、例えば、冷却素子は、適用可能な場合、ラジエーターの出口８と電気ヒーター９の入口１１との間に介装してもよい。
【００２６】
電気ヒーター９は、一方では車両の電源に接続され、他方では不図示のコントロールユニットに接続されたケーブル１４を介して制御され、かつ電気的に提供される。この電気ヒーター９は、その入口１１で取り込む流体を加熱し、その第一の出口１２に導かれる流体と第二の出口１３に導かれる流体との間で、暖房用の熱出力を制御された態様で分配するための手段を内蔵している。
【００２７】
換言すると、この電気ヒーター９は、第二の出口１３の領域に供給する流体と異なる温度で、その流体を第一の出口１２で供給することができる。
【００２８】
図１および図２に示された実施態様において、この電気ヒーター９は、そのハウジングの内側に、ジュール効果を利用する加熱素子１６と１７、および電源回路１９を備えている。電源回路１９は、ケーブル１４によって受け取った電力と制御指示とから、これらの二つの加熱素子１６と１７に電力を供給する。
【００２９】
図２から理解できるように、ハウジングはハウジングベース２１を備えており、ハウジングベース２１は、入口１１とケーブル１４の導入部とを含み、かつケーシングを構成している。ケーシングには、実質的に密封されるように、電源カード１９が収容されており、その下部は下部キャップ２２によって閉鎖されている。
【００３０】
入口１１を介して導入される流体は、流体の分離された流れを形成するため、図では見ることができないが、ハウジング２１のベースの上部領域に作製された二つの溝に導かれる。これらの流体の二つの流れは、それぞれ加熱素子１６と１７を平行に通過し、別々に加熱される。これは、電源カード１９が不図示のコントロールユニットから受けた制御指示に応じて、実質的に同一の二つの加熱素子１６と１７に異なる出力を供給するからである。
【００３１】
加熱素子１６によって加熱された流体は、第一の出口１２に向けて排出されて第一のラジエーター３に供給される。それに対して、加熱素子１７によって加熱された流体は、第二の出口１３に向けて排出されて第二のラジエーター４に供給される。
【００３２】
ハウジング２１のベースは、上部ハウジング２４によって閉鎖されている。上部ハウジング２４は、加熱素子１６と１７を収容し、第一の出口１２と第二の出口１３とを備えている。この上部ハウジング２４は、ハウジング２１のベースの上部を閉鎖するキャップを構成している。
【００３３】
特に、図１において理解できるように、本発明は電気車両またはハイブリッド車両の暖房システムの回路の構造を簡素化することができ、車両の二つの部分を二つの異なる設定温度で確実に暖房することができる。
【００３４】
さらに、図３ｂに非常に概略的に図示した構成の変形例において、熱拡散部材３１がラジエーター３と４の出口の少なくとも一つに接続された複数の出口を有している。
【００３５】
熱拡散部材３１の複数の出口は、例えば、電気ヒーター９の入口１１に接続された単一の導管（不図示）にまとめることができる。
【００３６】
より具体的には、熱拡散部材３１は、ラジエーター３と４の出口にそれぞれ接続された二つの出口２８と２８’を備えている。熱拡散部材３１の二つの出口は、例えば、熱拡散部材３１の対向する側に配置される。
【００３７】
図３ｃに非常に概略的に図示した他の構成の変形例において、暖房システム１００は、上記にて明示したような電気ヒーター９を備えている。電気ヒーター９の第一と第二の流体出口１２と１３は、ラジエーター３と４の入口にそれぞれ接続されている。ラジエーター３と４は、それ自体が、第一の熱拡散部材１０２と第二の熱拡散部材１０４とそれぞれ一体化されている。
【００３８】
第一の熱拡散部材１０２と第二の熱拡散部材１０４とは互いに分離され、車両の異なる場所に取り付けられてもよい。
【００３９】
従って、車両の構成および／または組立時、本発明による暖房システム１００をより簡単に車両に備えることができる。
【００４０】
さらに、第一、第二の熱拡散部材１０２と１０４は、それぞれ、１２８と１２８’で示され、かつ、ラジエーター３と４の出口にそれぞれ接続された少なくとも一つの出口を備えている。
【図１】
2016513041.tif 000003
【図２】
2016513041.tif 000004
【図３ａ】
2016513041.tif 000005
【図３ｂ】
2016513041.tif 000006
【図３ｃ】
2016513041.tif 000007
【国際調査報告】
2016513041.tif 000008
2016513041.tif 000009
2016513041.tif 000010
2016513041.tif 000011